(57)【要約】      （修正有）【課題】濾過材および酸化物発生器を複合使用する空気浄化装置を利用する際の、複雑性を改善するため、取付および維持が簡便な空気浄化装置を提供する。【解決手段】本空気浄化装置は、濾過箱を含み、濾過箱の一端は吸気口、別の一端は排気口である。濾過箱内の排気口の近くの一端に設置される濾過装置、濾過箱の吸気口に近い側の、濾過装置の一端に設置される酸化物放出装置をさらに含むことを特徴とする。従来の浄化装置と比較して、濾過装置および酸化物放出装置を同時に採用することができる複合濾過装置を、ユーザは簡単に取り付けるだけでよい。したがって、この種の装置の取付および維持の複雑性を大幅に低下させると同時に、この種の装置の利用上の適応性を高める。【選択図】図３
0003172770.tif 000002
【実用新案登録請求の範囲】
【請求項１】
濾過箱を含む空気浄化装置であって、前記濾過箱の一端が吸気口、別の一端が排気口であり、さらに
前記濾過箱内の前記排気口の近くの一端に設置される濾過装置と、
前記濾過箱の前記吸気口に近い側の、前記濾過装置の一端に設置される酸化物放出装置と、
を含むことを特徴とする空気浄化装置。
【請求項２】
前記空気浄化装置が、浄化される空気が前記濾過箱の前記吸気口から進入し、前記濾過箱の内部を流れ、前記排気口から排出されるようにする送風機を、さらに含むことを特徴とする、請求項１に記載の空気浄化装置。
【請求項３】
前記濾過装置が、前記濾過箱内の空気が流動する方向に沿って設置され、前記吸気口の近くの一端で密封された円筒形構造であることを特徴とする、請求項１に記載の空気浄化装置。
【請求項４】
前記濾過装置が、気体汚染物質濾過層、および前記気体汚染物質濾過層の外側に設置される微粒子フィルター、またはその複数種の組合せを含むことを特徴とする、請求項１に記載の空気浄化装置。
【請求項５】
前記気体汚染物質濾過層が、顆粒状濾過材、および中間に前記顆粒状濾過材を充填することが許容される２層の網状層を含むことを特徴とする、請求項４に記載の空気浄化装置。
【請求項６】
前記顆粒状濾過材が、気体汚染物質を吸着するのに使用される沸石または活性炭であることを特徴とする、請求項５に記載の空気浄化装置。
【請求項７】
前記微粒子フィルターが、高性能微粒子フィルター、プレフィルターもしくは静電フィルター、またはその複数種の組合せであることを特徴とする、請求項４に記載の空気浄化装置。
【請求項８】
前記酸化物放出装置が、オゾン発生器、イオン発生器、またはその複数種の組合せであることを特徴とする、請求項１に記載の空気浄化装置。
【請求項９】
前記酸化物放出装置が、その稼働時間を制御し、酸化物の放出量を調節する外部制御または内部プログラミング装置をさらに含むことを特徴とする、請求項８に記載の空気浄化装置。
【考案の詳細な説明】
【技術分野】
【０００１】
本考案は、空気浄化装置、特に濾過装置および酸化物放出装置を複合使用する装置に関する。
【背景技術】
【０００２】
現在、社会の空気汚染の問題は深刻である。空気の質は個人の健康に直接影響を及ぼし、さらに企業および社会の生産性にも影響を及ぼす。都市の人々は、ほとんどの時間を室内で過ごすため、室内の空気の質は特に注目される。一般に採用される室内の空気浄化技術は非常に多く、関係する技術のほとんどは、大きく２つの範疇に分けられる。
【０００３】
１つは、吸着性濾過材の使用である。処理量が大きいことが長所であるが、濾過材に吸着された汚染物質が、さらなる処理をされず、容易に２次汚染を引き起こす欠点がある。
【０００４】
もう１つの技術は、酸化物処理の技術である。滅菌、異臭の除去、揮発性有機化合物（ＶＯＣｓ）などの汚染物質の分解を効果的に行うことを長所とするが、単独で使用すると、効果が低い欠点がある。
【０００５】
現在、一般に比較的高性能な空気浄化装置は、同時に２種以上の空気浄化技術を採用することができる。その目的は、２つの長所を採用し、不足を補い合うことである。しかし、この種の装置を採用するとき、酸化物および濾過材の相互適応を考慮する必要があるため、一般に、独立した空気浄化装置の使用、または個別の工程による取付および維持を行うことしかできない。したがって、この種の空気浄化装置を利用するとき、取付は一般に比較的煩わしく、適応性も低く、維持も比較的複雑である。
【考案の概要】
【考案が解決しようとする課題】
【０００６】
濾過材および酸化物発生器を複合使用する空気浄化装置を利用する際の、複雑性を改善するため、本考案は取付および維持が簡便な空気浄化装置を提供する。
【０００７】
本考案は、濾過箱の一端が吸気口、別の一端が排気口である空気浄化装置を提供する。その特徴は、濾過箱内の排気口の近くの一端に設置される濾過装置、および濾過箱の吸気口に近い側の、濾過装置の一端に設置される、酸化物放出装置をさらに含むことである。
【０００８】
空気浄化装置は、浄化される空気が濾過箱の吸気口から進入し、濾過箱の内部を流れ、排気口から排出されるようにする送風機をさらに含むことができる。
【０００９】
好適な実施例において、濾過装置は、濾過箱内の空気が流動する方向に沿って設置され、吸気口の近くの一端で密封された円筒形構造である。
【００１０】
濾過装置は、気体汚染物質濾過層、および気体汚染物質濾過層の外側に設置される、微粒子フィルターまたはその複数種の組合せを含むことができる。
【００１１】
気体汚染物質濾過層は、顆粒状濾過材、および中間に顆粒状濾過材を充填することが許容される２層の網状層を含む。顆粒状濾過材は、気体汚染物質を吸着するのに使用される、沸石または活性炭でよい。
【００１２】
微粒子フィルターは、高性能微粒子フィルター、プレフィルターもしくは静電フィルター、またはその複数種の組合せでよい。
【００１３】
酸化物放出装置は、オゾン発生器、イオン発生器、またはその複数種の組合せである。酸化物放出装置は、その稼働時間を制御し、酸化物の放出量を調節する外部制御または内部プログラミング装置をさらに含むことができる。
【考案の効果】
【００１４】
本考案の空気浄化装置は、酸化物および吸着性濾過材を複合使用する空気浄化技術であり、酸化物が濾過装置に吸着された汚染物質、例えば異臭、揮発性有機化合物（ＶＯＣｓ）、細菌などを分解することができる長所がある。揮発性有機化合物（ＶＯＣｓ）のような汚染物質は、分解されると無害の物質、例えば水分および二酸化炭素（ＣＯ２）に変化し排出される。このように、濾過装置の再生によって、再び汚染物質を吸着することができる効果を達成し、装置の耐久性が増すと同時に、２次汚染の問題も防止する。
【図面の簡単な説明】
【００１５】
【図１】図１は、１つの実施例に基づいた空気浄化装置の分解立体図である。
【図２】図２は、図１の空気浄化装置の断面概要図である。
【図３】図３は、図１の空気浄化装置における、酸化物放出装置および濾過装置の断面概要図である。
【図４】図４は、別の実施例の空気浄化装置の部分断面概要図である。
【考案を実施するための形態】
【００１６】
以下に、図を組合せ、本考案の空気浄化装置を詳細に説明する。
【実施例】
【００１７】
図１は、１つの実施例に基づいた空気浄化装置の分解立体図である。
【００１８】
図２は、図１の空気浄化装置の断面概要図である。濾過箱１０１の一端は吸気口１０２であり、別の一端は排気口１０３である。濾過箱１０１の排気口１０３に送風機１０４を接続した。円筒形構造の濾過装置１０７を濾過箱１０１内に取り付け、濾過箱１０１内の空気が流動する方向に沿って設置し、さらに吸気口１０２の近くの一端を密封した。酸化物放出装置１０５を、濾過装置１０７の密封された一端に設置し、外部電源１０６と接続した。
【００１９】
浄化しようとする空気は、濾過箱１０１の吸気口１０２から吸い込まれ、濾過装置１０７を流れる。吸気口１０２に近い側の、濾過装置１０７の密封された一端に、酸化物放出装置１０５を有する。酸化物放出装置１０５は、外部電源１０６から電気を受けると、酸化物を生成する。酸化物は装置内から放出され、浄化しようとする空気と混合され、気流によって濾過装置１０７まで到達する。酸化物および汚染物質は濾過装置１０７に吸着された後、濾過装置１０７でさらに酸化および分解される。空気は濾過装置１０７を流れると、浄化処理され、すぐに濾過箱１０１の排気口１０３付近に到達する。最後に、浄化された空気は、濾過箱１０１の排気口１０３を介し、排気機１０４から排出される。
【００２０】
図３は、図１の空気浄化装置における、酸化物放出装置１０５および濾過装置１０７の断面概要図である。濾過装置１０７は、一端が密封された円筒形構造である。筒身の表面および内面の両面は網状層１０８であり、中間に顆粒状濾過材１０９を充填することが許容され、さらに筒身の外側に微粒子フィルター１１０を設置した。前述した濾過材１０９は、顆粒状の沸石である。微粒子フィルター１１０は、円筒形の高性能微粒子フィルター（ＨＥＰＡ）であり、毛髪、ほこりなどの微粒子を濾過するのに使用される。筒身の表面および内面の網状層１０８、および内部に充填された濾過材１０９からなる構造は、気体汚染物質濾過層１１１であり、主に異臭、揮発性有機化合物（ＶＯＣｓ）などの汚染物質を濾過するのに使用される。前述した微粒子フィルター１１０および気体汚染物質濾過層１１１は、単独で使用するか、または組合せて使用しても、どちらも完全な濾過装置１０７と見なすことができる。酸化物放出装置１０５は、濾過装置１０７の密封された一端に設置した。
【００２１】
図４は、別の実施例に基づいた空気浄化装置の部分断面概要図である。濾過箱内に取付構造を増設し、取付構造により、３組の酸化物放出装置１０５および濾過装置１０７を、空気が流動する方向に沿って、濾過箱内に並列に取り付けた。
【００２２】
すでに図を参照して本考案の好適な実施例を詳細に説明し、当業者に理解されるはずであるが、本考案は上述の具体的実施方法に限定されず、本考案の実用新案登録請求の範囲内に複数種類の変化を有することができる。例えば、空気浄化装置の外形は、実際の利用環境に基づいて、四辺形、円錐形などの相応な変化を行ってもよい。需要に基づいて、空気浄化装置内に、任意の数および組合せの酸化物放出装置１０５と濾過装置１０７を設置してもよい。濾過装置１０７の一端の密封は、酸化物放出装置１０５の設置により実現することができ、その他の方法でも実現することができる。酸化物放出装置１０５は、濾過装置１０７の密封された一端に設置することができ、需要に基づいて、濾過装置１０７および吸気口１０２の間のその他の位置に設置することもできる。吸気口１０２から進入する浄化される空気は、濾過装置１０７によって濾過される前であれば、先に酸化物と混合することができる。酸化物放出装置１０５は、オゾン発生器を使用する以外に、イオン発生器および両者の組合せも使用できる。そのほか、酸化物放出装置１０５は、外部電源から電力供給を受ける以外にも、充電池または乾電池を設置して、電力の供給を受けてもよい。これ以外に、酸化物放出装置１０５は、外部制御または内部プログラミングによって、その稼働時間を制御でき、酸化物の放出量を調節して、異なる利用の需要に適応させる。濾過装置１０７について、微粒子フィルター１１０は、高性能微粒子フィルター（ＨＥＰＡ）を使用することができる以外に、プレフィルターおよび静電フィルターを使用することもできる。気体汚染物質濾過層１１１に使用される濾過材１０９は沸石以外に、活性炭も使用することができる。
【００２３】
このことから、本考案は、全体構造において、吸着性濾過材および酸化物放出装置が稼働する上で、相互適応が十分に考慮されていることがわかる。その中に両者の取付位置の適応および気体の流動方向の制御も含まれる。本考案を使用するとき、上記空気浄化装置が稼働する方向を適応させて通風設備に取り付ければよく、この２種の空気濾過技術を利用する際の適応性を効果的に実現した。装置の利用において、単独の装置を独立して稼働させることができる以外に、複数の装置を並列方式で同時に稼働させることを考慮することもでき、異なる処理量を組み合わせる。
【符号の説明】
【００２４】
１０１  濾過箱
１０２  吸気口
１０３  排気口
１０４  送風機
１０５  酸化物放出装置
１０６  外部電源
１０７  濾過装置
１０８  網状層
１０９  濾過材
１１０  微粒子フィルター
【図１】
0003172770.tif 000003
【図２】
0003172770.tif 000004
【図３】
0003172770.tif 000005
【図４】
0003172770.tif 000006
【手続補正書】
【提出日】平成23年10月20日(2011.10.20)
【手続補正１】
【補正対象書類名】実用新案登録請求の範囲
【補正対象項目名】請求項４
【補正方法】変更
【補正の内容】
【請求項４】
前記濾過装置が、気体汚染物質濾過層、および前記気体汚染物質濾過層の外側に設置される微粒子フィルター、またはその複数種の組合せを含むことを特徴とする、請求項３に記載の空気浄化装置。